(57)【要約】【課題】鏡筒構造を工夫して、ベースに対する鏡筒の推力を向上できるようにすると共に、レンズ駆動用のアクチュエータを小型化できるようにする。【解決手段】ベース１０に対して可動自在に配置されてレンズ７０を収納する鏡筒６０と、この鏡筒６０の外周部に配置されて固定されたコイル３０と、このコイル３０の外周部に配置されてベース１０に固定されたヨーク４０と、このヨーク４０の内周部に配置されて固定されたマグネット５０とを備え、ヨーク４０の内縁部が折り返されて鏡筒６０の外周部に配置され、鏡筒６０の外周部に配置されたヨーク４０と、当該ヨーク４０に配置固定されたマグネット５０とでコイル３０を挟むように鏡筒６０が組み込まれたものである。【選択図】    図１
2008299285.tif 000002
【特許請求の範囲】
【請求項１】
鏡筒に収納されたレンズを基台に対して駆動するレンズ駆動装置であって、
前記基台に対して可動自在に配置されて前記レンズを収納する鏡筒と、
前記鏡筒の外周部に配置されて固定されたコイルと、
前記コイルの外周部に配置されて前記基台に固定された支持部材と、
前記支持部材の内周部に配置されて固定された磁性体とを備え、
前記支持部材の内縁部が折り返されて前記鏡筒の外周部に配置され、
前記鏡筒の外周部に配置された前記支持部材と、当該支持部材に配置固定された前記磁性体とで前記コイルを挟むように前記鏡筒が組み込まれることを特徴とするレンズ駆動装置。
【請求項２】
前記基台に対して可動自在に螺合された焦点調整用の調整部材を備え、
前記調整部材は、
前記鏡筒に隣設し当接されて当該鏡筒を光軸方向に移動可能となされることを特徴とする請求項１に記載のレンズ駆動装置。
【請求項３】
前記支持部材は、
前記コイルの外周部に配置されて前記基台に固定された部分が外ヨーク部を構成し、
内縁部が折り返されて前記鏡筒の外周部に配置された部分が内ヨーク部を構成することを特徴とする請求項１に記載のレンズ駆動装置。
【請求項４】
鏡筒に収納されたレンズを基台に対して駆動するレンズ駆動装置の組立方法であって、
前記レンズを鏡筒に収納する工程と、
前記鏡筒の外周部にコイルを配置して固定する工程と、
前記基台に支持部材を固定する工程と、
前記支持部材の内周部に磁性体を配置して固定する工程と、
内縁部を折り返して前記鏡筒の外周部に前記支持部材を配置する工程と、
前記鏡筒の外周部に配置された前記支持部材と、当該支持部材に配置固定された前記磁性体とで前記コイルを挟むように前記基台に対して可動自在に前記鏡筒を組み込む工程とを有することを特徴とするレンズ駆動装置の組立方法。
【発明の詳細な説明】
【技術分野】
【０００１】
本発明は、デジタルカメラや、ビデオカメラ、携帯電話機等のカメラモジュール用のレンズユニットに適用可能なレンズ駆動装置及びその組立方法に関する。詳しくは、鏡筒に収納されたレンズを基台に対して駆動する場合に、ヨークの内縁部を折り返して鏡筒の外周部に配置し、鏡筒の外周部に配置されたヨークと、当該ヨークに配置固定されたマグネットとでコイルを挟むように鏡筒を組み込んで、鏡筒の外周部に配置されたヨークが、マグネット、コイルを含む閉磁路を形成できるようにすると共に、マグネットによる磁束を十分にコイルに鎖交できるようにしたものである。
【背景技術】
【０００２】
近年、デジタルカメラや、ビデオカメラ、携帯電話機等のカメラモジュールには、レンズユニットが実装され、このレンズユニットにはオートフォーカス（ＡＦ）用のレンズ駆動装置が使用される場合が多い。この種のレンズ駆動装置は、鏡筒に収納されたレンズの焦点調整時に、基台に対して鏡筒を数ミクロン単位で駆動するものである。
【０００３】
図８Ａ及びＢは、従来例に係るレンズユニット２００の構成例を示す上面図及びその正面図である。図９は、その図８ＡのＹ１−Ｙ１矢視断面図である。
【０００４】
図８Ａに示すレンズユニット２００は、一般的なカメラモジュールに使用されるリニア駆動方式（例えば、ムービングコイル方式）のレンズアクチュエータ１１を備えて構成される。レンズアクチュエータ１１は、図８Ｂに示すようにカバー部材８０に覆われたベース１０上に設けられる。
【０００５】
図９に示すレンズアクチュエータ１１では、ホルダー１２とコイル１３から成る可動部側の部品と、ベース１０、ヨーク１４及びマグネット１５から成る固定部側の部品と、それらを連結する弾性部材２５，２６との３部構成が採用されている。ホルダー１２には鏡筒６０’が螺合され、鏡筒６０’にはレンズ７０等の光学部品が収められる。レンズアクチュエータ１１によれば、レンズ焦点調整時、コイル１３に電流を流すことによって発生した推力が、固定部側の部品に対して、可動部側の部品を弾性部材によって動作規制されながら、鏡筒６０’を微調整するように作用する。
【０００６】
図１０は、レンズアクチュエータ１１における磁気回路例を示す拡大図である。図１０に示す磁気回路例によれば、ヨーク１４に片側単極磁性体から成るマグネット１５が配置され、マグネット１５のＮ極から出た磁束Φは、コイル１３に鎖交される。その一部の磁束Φはヨーク１４を通ってＳ極に戻るように分布する。ホルダー１２の駆動に寄与する推力Ｆ’は、コイル１３に通電された電流とマグネット１５による磁束Φによって発生される。
【０００７】
この種のアクチュエータを備えたレンズユニット２００に関して、特許文献１には、電磁駆動装置及び電磁駆動装置を用いたフォーカス制御装置が開示されている。この電磁駆動装置によれば、レンズホルダー、コイル、外側ヨーク筒部及び内側ヨーク筒部を備えている。レンズホルダーは矩形状を有しており、対角線上の４隅でレンズを保持する。コイルは矩形状のホルダーの外周部に巻回される。ヨークは、外側ヨーク筒部と内側ヨーク筒部とが同心円上に形成されている。このヨークの筒部の一方にマグネットが固着され、この両ヨークとマグネットにより閉磁路を構成し、レンズホルダーに巻回されたコイルを両ヨーク間に介挿するようになされる。
【０００８】
【特許文献１】特開平７−１４６４３０号公報（第７頁  図１）
【発明の開示】
【発明が解決しようとする課題】
【０００９】
ところで、従来例に係るレンズユニット２００によれば、レンズアクチュエータ１１の磁気回路（磁場）がオープンしているために、多くの漏れ磁束が発生してしまい、ズーム用のアクチュエータや、スピーカーなどの磁気回路を持つ部品に対して外乱となり、製品としての動作に悪影響を与えるおそれがある。
【００１０】
また、磁力は閉磁路に比べて弱くなってしまい、レンズユニット２００の小型化及び薄型化が要求される傾向の中で、益々ホルダー１２を微調整するための推力Ｆ’が得られなくなるという問題がある。
【００１１】
このような漏れ磁束の対策と同時に必要な推力Ｆ”も確保しようとした場合、図１１に示すようなコイルとマグネットを配置する方法が考えられる。この場合も、外形制約を満たしながら、焦点調整用のネジ部２２’をホルダー１２に設け、ネジ部６２’を鏡筒６０’に設ける場合であって、限られたスペースに磁気回路を構築しなければならない。
【００１２】
図１１は、レンズアクチュエータ１１’の改善例を示す磁気回路の拡大図である。
【００１３】
図１１に示す改善後のレンズアクチュエータ１１’の磁気回路例によれば、磁性体には片面２極磁性体から成るマグネット１５’が配置される。また、可動用のコイルは、コイル１３ａ，１３ｂというように上下に２分割された構成を採っている。この２分割されたコイル１３ａ及び１３ｂに、それぞれに逆位相の電流を流れるようになされる。これらによって閉磁路を作り、漏れ磁束対策とすると同時に必要な推力Ｆ”も確保しようとするものである。
【００１４】
しかしながら、改善後のレンズアクチュエータ１１’によれば、コイル１３を２分割しなくてならず、組立工程が複雑になるという問題や、片面２極磁性体仕様のマグネット１５’を配置しなくてはならず、片側単極磁性体仕様と比較すると、レンズアクチュエータ１１’の単価が高くなってしまうという問題がある。
【００１５】
更に、今後、カメラモジュールの薄型化が進んだ場合、マグネット１５’の高さを確保することが困難となり、片側単極磁性体と比較すると片面２極磁性体の磁力も相当落ち込むことが予想され、必要な推力Ｆ”を確保できなくなるおそれがある。
【００１６】
また、レンズ口径を大きく設定するような要求があった場合、特許文献１に見られるような外側ヨーク筒部と内側ヨーク筒部とを備えたヨーク構造であると、矩形状のレンズホルダーの周辺部で閉磁路が構成されるので、レンズユニット全体形状が大きくなり、大口径のレンズを備えたカメラの小型化が困難となる。
【００１７】
このように、カメラモジュールの外部形状に関して規格化が進められた場合、レンズアクチュエータ１１’も、外部形状及びネジ部２２’，６２’の仕様に関して、デファクトスタンダードを考慮しなければならなくなる。この条件を満たすべく、フォーカシング駆動用の磁気回路及び、ホルダー１２や鏡筒６０’等を限られた空間に配置しなければならないという問題がある。
【００１８】
そこで、この発明はこのような従来の課題を解決したものであって、鏡筒組立構造を工夫して、基台に対する鏡筒の推力を向上できるようにすると共に、レンズ駆動用のアクチュエータを小型化できるようにしたレンズ駆動装置及びその組立方法を提供することを目的とする。
【課題を解決するための手段】
【００１９】
上述した課題は、鏡筒に収納されたレンズを基台に対して駆動するレンズ駆動装置であって、基台に対して可動自在に配置されてレンズを収納する鏡筒と、この鏡筒の外周部に配置されて固定されたコイルと、このコイルの外周部に配置されて基台に固定された支持部材と、この支持部材の内周部に配置されて固定された磁性体とを備え、支持部材の内縁部が折り返されて鏡筒の外周部に配置され、鏡筒の外周部に配置された支持部材と、当該支持部材に配置固定された磁性体とでコイルを挟むように鏡筒が組み込まれたことを特徴とするレンズ駆動装置によって解決される。
【００２０】
本発明に係るレンズ駆動装置によれば、鏡筒に収納されたレンズを基台に対して駆動する場合に、鏡筒の外周部に配置された支持部材が、磁性体、コイルを含む閉磁路を形成するようになる。従って、磁性体による磁束を十分にコイルに鎖交できるようになる。
【００２１】
本発明に係るレンズ駆動装置の組立方法は、鏡筒に収納されたレンズを基台に対して駆動するレンズ駆動装置の組立方法であって、レンズを鏡筒に収納する工程と、鏡筒の外周部にコイルを配置して固定する工程と、基台に支持部材を固定する工程と、支持部材の内周部に磁性体を配置して固定する工程と、内縁部を折り返して鏡筒の外周部に支持部材を配置する工程と、鏡筒の外周部に配置された支持部材と、当該支持部材に配置固定された磁性体とでコイルを挟むように基台に対して可動自在に鏡筒を組み込む工程とを有することを特徴とするものである。
【００２２】
本発明に係るレンズ駆動装置の組立方法によれば、鏡筒の外周部に配置された支持部材と、当該支持部材に配置固定された磁性体とでコイルを挟むように基台に対して可動自在に鏡筒を組み込むようになされる。これにより、従来方式のような鏡筒を取り付けるためのホルダー部及びそのネジ部を省略できるので、ホルダー部及びそのネジ部が削除された鏡筒の外径方向の余剰空間に、内縁部が折り返された支持部材を配置したホルダ一体化構造を採ることができる。
【発明の効果】
【００２３】
本発明に係るレンズ駆動装置及びその組立方法によれば、鏡筒に収納されたレンズを基台に対して駆動する場合に、内縁部が折り返された支持部材が鏡筒の外周部に配置され、鏡筒の外周部に配置された支持部材と、当該支持部材に配置固定された磁性体とでコイルを挟むように鏡筒が組み込まれるものである。
【００２４】
この構成によって、鏡筒の外周部に配置された支持部材が、磁性体、コイルを含む閉磁路を形成するようになるので、磁性体による磁束を十分にコイルに鎖交できるようになる。従って、基台に対する鏡筒の推力（磁性体とコイルによる電磁力）を向上できるようになる。しかも、従来方式のような鏡筒を取り付けるためのホルダー部及びそのネジ部を省略できるので、ホルダー部及びそのネジ部が削除された鏡筒の外径方向の余剰空間に、内縁部が折り返された支持部材を配置したホルダ一体化構造を採ることができる。これにより、小型、薄型及び電力低消費型のレンズ駆動装置を提供できるようになった。
【発明を実施するための最良の形態】
【００２５】
続いて、この発明に係るレンズ駆動装置及びその組立方法の一実施例について、図面を参照しながら説明をする。
【００２６】
図１は、本発明に係るレンズ駆動装置を備えた実施の形態としてのレンズユニット１００の構成例を示す一部破砕の斜視図である。図２Ａ及びＢは、レンズユニット１００の構成例を補足する上面図及びその正面図であり、図３は、図２ＡのＸ１−Ｘ１矢視断面図である。
【００２７】
図１に示すレンズユニット１００は、ホルダ一体型（ホルダ機能兼用型）の鏡筒６０と、レンズ駆動装置の機能を構成するレンズアクチュエータ１とを備え、当該鏡筒６０に収納されたレンズ７０をベース１０（基台）に対して駆動する装置である。当該レンズユニット１００は、デジタルカメラや、ビデオカメラ、携帯電話機等のカメラモジュール用のレンズユニットに適用可能なものである。
【００２８】
レンズアクチュエータ１は、ベース１０、コイル３０、ヨーク４０、マグネット５０及び鏡筒６０を備えて構成される。コイル３０及び鏡筒６０は、レンズアクチュエータ１の可動部側の部品を構成する。鏡筒６０は、ベース１０に対して可動自在に配置された鍔付きの円筒状体６１を有しており、レンズ７０を収納し保持する。鏡筒６０の材質には、炭素繊維含有の樹脂や、軽金属、アルミダイカスト等が使用される。なお、鏡筒６０に収められる光学部品等については、レンズユニット１００が適用されるカメラによって異なるので、その説明を省略する。
【００２９】
鏡筒６０の下方は鍔状の外縁部（以下、下方外周部６４という）を有している（図５Ｃ参照）。この下方外周部６４には、コイル３０が配置されて固定される。例えば、コイル３０は、鏡筒６０の下方外周部６４に円筒状に巻装される。コイル３０には所定の線径を有した銅線が使用され、コイル３０は下方外周部６４の円筒状体を巻き軸部としている。コイル３０の巻き数はＮ回で、その層数はＭである。コイル３０は、レンズ焦点調整時に通電される。
【００３０】
上述のベース１０、ヨーク４０及びマグネット５０は、図２Ａに示すカバー部材８０を含めてベース１０の固定部側の部品を構成する。カバー部材８０には、例えば、アルミニウム板を所定形状にプレス加工し、その中央部に開口部８０ａを孔開け加工し、表面に意匠デザイン的に化粧用のクロムメッキ等を施したものが使用される。
【００３１】
この例では、図２Ａに示したカバー部材８０は、図２Ｂに示すような形状のベース１０を組み合わせて適用される。ベース１０の右側は、上方に立ち上がっており、上部の弾性部材２５の一部を支持する。その左側は、下部の弾性部材２６の全部を支持する。ベース１０には、例えば、樹脂を金型成形したネジ部付きの矩形状体が使用される。ベース１０の材料には、樹脂や軽金属、アルミダイカスト等が使用される。弾性部材２５，２６には板バネが使用される。
【００３２】
この例で、図３に示す鏡筒６０のコイル３０の外周部には、支持部材の一例を構成するヨーク４０が配置され、ベース１０に固定される。ヨーク４０の内周部側は、例えば、逆さＵ字状に折り返されて、上述の鏡筒６０の下方外周部６４に延在される。ヨーク４０は外ヨーク部４１及び内ヨーク部４２を有して構成される。外ヨーク部４１は、コイル３０の外周部に配置され、ベース１０に固定される部分を構成する。内ヨーク部４２は、ヨーク４０の上部先端の全部が内側に折り返された部分を構成し、鏡筒６０の下方外周部６４内に延在される。もちろん、ヨーク４０の上部先端の一部を内側に折り返す形態であってもよい。
【００３３】
ヨーク４０には、例えば、所定の厚みを有したＳＰＣ（冷間圧延鋼板）が使用される。ＳＰＣには、亜鉛（Ｚｎ）メッキにより表面処理（三価クロムメート処理）がなされる。表面処理には無電解メッキ（ＥＬ／ＦｅＰ−／ＯＰ３）が採られる。ヨーク４０の内周部には、磁性体の一例を構成するマグネット５０が配置されて固定される。例えば、マグネット５０の側面に接着剤が塗布され、この接着剤を介してヨーク４０に接着され、締結固定される。マグネット５０には、ニッケル（Ｎｉ）メッキにより表面処理された扁平筒状のＮｄＦｅＢ（ネオジウム）焼結磁石や、フェライト磁石、アルニコ磁石等が使用される。
【００３４】
この例では、鏡筒６０の下方外周部６４上に延在された内ヨーク部４２と、このヨーク４０の外ヨーク部４２に配置固定されたマグネット５０とでコイル３０を挟むように鏡筒６０が組み込まれる。なお、上述の鏡筒６０は、上部の弾性部材２５及び下部の弾性部材２６により、ベース１０に連結され、当該ベース１０に対して可動自在に支持される。弾性部材２５，２６には板バネやスプリングバネ等が使用される。これにより、弾性部材２５，２６による付勢力によって鏡筒６０を光軸方向の撮像素子側に押さえ付けることができる。
【００３５】
この例で、ベース１０には調整部材の一例を構成する焦点調整用のアジャスター２０が可動自在に取り付けられる。このアジャスター２０を取り付けるようにしたのは、上述の弾性部材２５，２６によって鏡筒６０をベース１０側へ突き当てる位置規制構造を採るためである。この位置規制構造によれば、コイル３０に電流を流さない（推力＝０）時に、鏡筒６０が外乱によって自由に移動して画像がズレたり焦点が合わなくなる事態を回避するようになされる。
【００３６】
この例では、ネジ部２２がアジャスター２０の外周部に設けられ、ベース１０の中央部には開口部１０ｂが設けられ、この開口部１０ｂの内周面にもネジ部１０ｃが設けられる。アジャスター外周部のネジ部２２は、ベース内周面のネジ部１０ｃに噛み合わせ螺合する。レンズ焦点調整時、アジャスター２０が鏡筒６０に下方向から当接され、当該弾性部材２５，２６によって付勢される鏡筒６０を光軸方向に前後に移動可能（図中では上下動作が可能）となされる。
【００３７】
上述のベース１０は、図示しないカメラ本体内に固定され、このカメラ本体内には撮像素子が実装される。撮像素子は、焦点調整後の鏡筒６０のレンズ７０によって結像された被写体像を撮像するようになされる。
【００３８】
このように構成されたレンズユニット１００によれば、図３に示した鏡筒６０の下方外周部６４上にはヨーク４０の内ヨーク部４２が配置され、ヨーク４０のマグネット５０による磁界内に配置されたコイル３０に電流を流すことによって電磁力が発生し、この電磁力が弾性部材２５，２６によって連結された鏡筒６０の推力となって、レンズアクチュエータ１の固定部側の部品に対して、その可動部側を弾性部材２５，２６によって動作規制を保ちながら、鏡筒内のレンズ７０の焦点（フォーカス）を微調整するようになされる。
【００３９】
図４は、鏡筒６０の下方外周部６４におけるヨーク４０の磁気回路例を示す拡大図である。図４に示す磁気回路は、レンズアクチュエータ１の鏡筒６０において、鍔状の下方外周部６４の一部を抜き出した部分に構成される。
【００４０】
レンズアクチュエータ１によれば、ヨーク４０内には、片側単極着磁仕様のマグネット５０が配置される。この仕様のマグネット配置は、光軸方向のマグネット５０の高さを低くすることで、磁気回路構造の薄型化を図るためである。また、鏡筒用のホルダー及びそのネジ部を省略することにより生じた余剰空間には、内ヨーク部４２が配置される。この磁気回路中には、駆動用のコイル３０が配置される。
【００４１】
この例では、マグネット５０のＮ極から出た磁束Φがコイル３０に鎖交して内ヨーク部４２に至り、ヨーク４０中を通って外ヨーク部４１からそのＳ極に戻るように分布する閉磁路を有した磁気回路が構成される。このように、コイル３０や、内ヨーク部４２、マグネット５０等を配置すると、上述の余剰空間における磁束密度（磁力）が増加し、従来方式のレンズアクチュエータに通電していたと同じ電流を当該レンズアクチュエータ１のコイル３０に通電（印加）した場合、従来方式よりも、大きな推力Ｆを発生させることができる。
【００４２】
また、内ヨーク部４２によって閉磁路が形成されるので、外部に対する漏れ磁束も減少できるようになる。しかも、片側単極着磁のマグネット５０を使用したので、片側２極着磁仕様に比較して、光軸方向のマグネット５０の高さを低く設定しても、磁力の減少を押えることができる。
【００４３】
続いて、レンズユニット１００の組立方法について説明する。図５及び図６は、その組立例（その１，２）を示す工程図である。図７は、そのレンズ焦点調整例を示すフローチャートである。
【００４４】
この例では、図３に示したようなホルダー機能兼用の鏡筒６０を適用したレンズアクチュエータ１を組み立てた後、鏡筒６０に収納されたレンズをベース１０に対して駆動して、レンズユニット１００のレンズ焦点を調整する場合を前提とする。
【００４５】
これらを組立条件にして、まず、図７に示すフローチャートのステップＡ１で、レンズアクチュエータ１を組み立てる。この例では、図５Ａに示すカバー部材８０と、図５Ｂに示す上部の弾性部材２５と、図５Ｃに示すヨーク４０やマグネット５０等と、図５Ｄに示す鏡筒６０やコイル３０等を準備する。カバー部材８０には、例えば、アルミニウム板をプレス加工及び孔開け加工して、中央部に開口部８０ａを形成し、内部に部品収納部８０ｂを形成し、所定形状に仕上げたものを準備する。
【００４６】
そして、図５Ｃに示すヨーク４０の内周部にマグネット５０を配置して固定する。この例では、外周部が丸みを帯びた八角形状を有し、内周部が円筒状を有したヨーク４０及びマグネット５０を準備し、ヨーク４０とマグネット５０とを組み立てる。例えば、所定の厚みを有したＳＰＣ（冷間圧延鋼板）を加工して、外周部を丸みを帯びた八角形状に形成し、内周部を円筒状に形成する。この円筒状の内周部がヨーク４０の開口部４３を形成する。このように丸みを帯びた八角形状にするのは、図２に示したカバー部材８０とベース１０により形成される矩形状の筐体内に収納するためである。
【００４７】
この例では、ＳＰＣの展開時、ヨーク上部先端となる部分（ヨーク４０の内側となる部分）に関して、鏡筒６０の下方外周部６４上に延在可能なように、ヨーク４０の内側の一周に渡ってコ字状に折り返すように折り曲げ加工する。そして、外ヨーク部４１に対して、内ヨーク部４２が対峙するようなヨーク４０を形成する。ヨーク４０は折り曲げ加工の他プレス加工や、しぼり加工、溶接加工等により形成するとよい。
【００４８】
ＳＰＣには、亜鉛（Ｚｎ）メッキにより表面処理（三価クロムメート処理）が施される。表面処理には無電解メッキ（ＥＬ／ＦｅＰ−／ＯＰ３）が採られる。マグネット５０には、片側単極磁性体として、ニッケル（Ｎｉ）メッキにより表面処理された扁平筒状のＮｄＦｅＢ（ネオジウム）焼結磁石や、フェライト磁石、アルニコ磁石等が使用される。マグネット５０は、ヨーク４０の内側に接着する。例えば、マグネット５０の側面に接着剤を塗布し、この接着剤を介してマグネット５０をヨーク４０に接着して締結固定する。
【００４９】
他方で、図５Ｄに示すホルダー機能兼用の鏡筒６０を準備し、コイル３０と鏡筒６０とを組み立てる。鏡筒６０は、例えば、炭素繊維含有の樹脂を金型成形して下方外周部６４を有した円筒状体６１を形成する。この例で、金型成形時、円筒状体６１にレンズ用の開口部６２とバネ係合用の凹部６３ａ，６３ｂとを形成する。その後、円筒状体６１内にレンズ７０を嵌め込む。もちろん、鏡筒用の材料を筒状に形成し、その下方部を折り曲げ加工して下方外周部６４を成形してもよい。鏡筒用の材料には、樹脂の他に、軽金属、アルミダイカスト等が使用される。
【００５０】
次に、鏡筒６０の下方外周部６４にコイル３０を配置して固定する。例えば、鏡筒６０の外径よりも、わずかに狭い外径のコイル３０を作成し、図５Ｄに示した鏡筒６０の外周縁部に取り付ける。コイル３０は、所定の線径を有した銅線を鏡筒６０の円筒状体６１を巻き軸部として、巻き数をＮ回で、その層数をＭとして円筒状に巻装することで得られる。
【００５１】
このとき、鏡筒６０の下方外周部６４とコイル３０の内面側との間に隙間を生ずるように巻装する。隙間は、内ヨーク部４２とコイル３０との間の摩擦を無くすためである。ここに巻装されたコイル３０を鏡筒６０の下方外周部６４に接着剤を使用して強固に固定する。接着剤には、例えば、ウレタン系のものを使用する。
【００５２】
そして、図５Ａに示したカバー部材８０内の部品収納部８０ｂへ図５Ｂに示す上部の弾性部材２５、図５Ｃに示したヨーク４０及び図５Ｄに示した鏡筒６０を組み上げてレンズアクチュエータ１を形成する。この例では、まず、図５Ｄに示すコイル固定付きの鏡筒６０をマグネット固定済みのヨーク４０の開口部４３に嵌挿する。このとき、ヨーク４０をコ字状に折り返した内ヨーク部４２とマグネット５０との隙間にコイル３０を嵌挿する（挟み込む）。
【００５３】
その後、鏡筒６０の凹部６３ａ，６３ｂに上部の弾性部材２５の端部を嵌合する。そして、図５Ｂに示した弾性部材２５及び図５Ｃに示したヨーク付きの鏡筒６０を図５Ａに示すカバー部材８０の部品収納部８０ｂに嵌合する。弾性部材２５の他端は図６Ｂでベース１０によって押さえ込む。これにより、図６Ａに示すようなレンズアクチュエータ１（中間組立部品）が完成する。
【００５４】
その後、図６Ａに示したレンズアクチュエータ１と、図６Ｃに示すベース１０とを接合する。この例では、上面に凹部１０ａを有したベース１０が準備され、下部の弾性部材２６を収納する。ベース１０は、例えば、ベース１０を象った金型を作成し、この金型にベース用の材料を封入してネジ部１０ｃを有した円筒状体を成形するようになされる。ベース１０の材料には、樹脂や軽金属、アルミダイカスト等が使用される。弾性部材２６には板バネが使用される。もちろん、板バネに代えてスプリングバネを使用してもよい。
【００５５】
また、ベース１０の中央部には開口部１０ｂを形成し、この開口部１０ｂの内周面にはネジ部１０ｃを形成する。更に、このネジ部１０ｃに係合するための鏡筒光軸方向調整用のアジャスター２０を準備する。アジャスター２０の外周部にはネジ部２２が形成される。アジャスター２０は、例えば、円筒状のアジャスターを象った金型を作成し、この金型にアジャスター用の材料を封入してネジ部２２を有した円筒状体を成形するようになされる。アジャスターの材料には、樹脂や軽金属、アルミダイカスト等が使用される。
【００５６】
これらの部材が準備できたら、図６Ｃに示したベース１０の凹部１０ａ内に、図６Ｂに示した下部の弾性部材２６を配設し、更に、図６Ａに示したレンズアクチュエータ１をベース１０上に被せるように配置する。そして、図示しないネジ部材等でレンズアクチュエータ１とベース１０とを結合する。結合はネジ部材に限られることはなく、接着剤でレンズアクチュエータ１とベース１０とを接着固定してもよい。その後、ベース１０にアジャスター２０を取り付ける。
【００５７】
例えば、アジャスター外周部のネジ部２２をベース内周面のネジ部１０ｃに噛み合わせ螺合する。これにより、ヨーク４０及びマグネット５０を備えた固定部側のベース１０に対して、可動部側のコイル付きの鏡筒６０が可動自在になされた、図１に示したようなレンズユニット１００の組み立てを完了する。
【００５８】
その後、ステップＡ２に移行して、レンズユニット１００をカメラに実装する。例えば、図示しないカメラのハウジング部には撮像素子が実装され、レンズユニット１００のベース１０をハウジング部に接着剤等を用いて取り付け、ハウジング部及びベース１０を相互に締結する（固定工程）。
【００５９】
そして、図７に示すステップＡ３でレンズ焦点を調整する。この例では、最初にアジャスター２０を調整してレンズ焦点を調整し、その後、レンズユニット１００のコイル３０に通電する。例えば、カメラに実装された撮像素子に対するレンズ７０の焦点を調整するとき、撮像素子がレンズ７０を通して撮像する像をモニター等で確認しながら、光学特性が良好となる位置にホルダー機能兼用の鏡筒６０を微調整する（調整工程）。その後、ステップＡ４に移行して鏡筒６０を固定する。例えば、調整後の鏡筒６０を接着剤でベース１０に固定する。これにより、レンズユニット１００のレンズ焦点調整を完了する。
【００６０】
このように、実施の形態としてのレンズユニット及びその組立方法によれば、鏡筒６０に収納されたレンズ７０をベース１０に対して駆動する場合に、鏡筒６０の外周部に配置されたヨーク４０が、コイル３０及びマグネット５０を含む閉磁路を形成するようになる。
【００６１】
従って、マグネット５０による磁束を十分にコイル３０に鎖交できるようになり、ベース１０に対する鏡筒６０の推力（マグネット５０とコイル３０による電磁力）を向上できるようになる。しかも、従来方式のような鏡筒６０を取り付けるためのホルダー部及びそのネジ部を省略できるので、鏡筒６０の径方向の肉厚を薄くできるようになった。この結果、ホルダー部及びそのネジ部が削除された鏡筒６０の外径方向の余剰空間に、内縁部が折り返されたヨーク４０を配置したホルダ一体化構造を採ることができる。これにより、小型薄型及び電力低消費型のレンズユニット１００を提供できるようになった。
【産業上の利用可能性】
【００６２】
この発明は、デジタルカメラや、ビデオカメラ、携帯電話機等のカメラモジュール用のレンズユニットに適用して極めて好適である。
【図面の簡単な説明】
【００６３】
【図１】本発明に係るレンズ駆動装置を備えた実施の形態としてのレンズユニット１００の構成例を示す一部破砕の斜視図である。
【図２】（Ａ）及び（Ｂ）は、レンズユニット１００の構成例を補足する上面図及びその正面図である。
【図３】図２（Ａ）に示したレンズユニット１００の構成例（断面）を示すＸ１−Ｘ１矢視断面図である。
【図４】鏡筒６０の下方外周部６４におけるヨーク４０の磁気回路例を示す拡大図である。
【図５】レンズユニット１００の組立例（その１）を示す工程図である。
【図６】レンズユニット１００の組立例（その２）を示す工程図である。
【図７】レンズユニット１００のレンズ焦点調整例を示すフローチャートである。
【図８】（Ａ）及び（Ｂ）は、従来例に係るレンズユニット２００の構成例を示す上面図及びその正面図である。
【図９】図８（Ａ）に示したレンズユニット２００の構成例（断面）を示すＹ１−Ｙ１矢視断面図である。
【図１０】ホルダー１２におけるヨーク１４の磁気回路例を示す拡大図である。
【図１１】レンズアクチュエータ１１’の改善例を示す磁気回路の拡大図である。
【符号の説明】
【００６４】
１・・・レンズアクチュエータ（レンズ駆動装置）、１０・・・ベース（基台）、２０・・・アジャスター（調整部材）、２１，６１・・・円筒状体、１０ｃ，２２・・・ネジ部、３０・・・コイル、４０・・・ヨーク（支持部材）、４１・・・外ヨーク部、４２・・・内ヨーク部、５０・・・マグネット（磁性体）、６０・・・鏡筒、６４・・・下方外周部、７０・・・レンズ、１００・・・レンズユニット
【図１】
2008299285.tif 000003
【図２】
2008299285.tif 000004
【図３】
2008299285.tif 000005
【図４】
2008299285.tif 000006
【図５】
2008299285.tif 000007
【図６】
2008299285.tif 000008
【図７】
2008299285.tif 000009
【図８】
2008299285.tif 000010
【図９】
2008299285.tif 000011
【図１０】
2008299285.tif 000012
【図１１】
2008299285.tif 000013